(57)【要約】【課題】歯科治療のために口腔内部の骨を切削して吸入採取する器具に関し、口腔内への挿入に適するように構造簡素かつ小型で、しかも取り扱い操作も簡便な骨の切削吸入採取器を実現する。【解決手段】切削バー６を挿通する吸引ヘッド１の吸入口４を採骨面に対向させる構造において、吸引ヘッド１の内空と連通する位置にフィルター内蔵部３を設けてある。そして、このフィルター内蔵部３は開閉構造になっており、フィルター内蔵部３を開けて、テーパ筒状のフィルター１３の内部に溜まった粒状の骨を外部に取り出し可能となっている。【選択図】          図１
2004329312.tif 000002
【特許請求の範囲】
【請求項１】
切削バーを挿通する吸引ヘッド部の切削バー先端側の吸入口を採骨面に対向させる構造において、吸引ヘッド部の内空と連通する位置にフィルター内蔵部を設けてあることを特徴とする骨の吸入採取器。
【請求項２】
前記のフィルター内蔵部は開閉構造になっており、フィルター内蔵部を開けて、フィルターの内部に溜まった粒状の骨を外部に取り出し可能となっていることを特徴とする請求項１に記載の骨の吸入採取器。
【請求項３】
前記の吸引ヘッド部の切削バー先端側の吸入口に、少なくとも先端部が柔軟な筒体を装着可能となっていることを特徴とする請求項１または請求項２に記載の骨の吸入採取器。
【請求項４】
前記のフィルターは、テーパ筒状をしていて、その大径開口部は前記の吸引ヘッド部側に位置し、小径開口部は吸引管の接続部側に位置し、しかも小径開口は、採骨時には閉鎖される構造となっていることを特徴とする請求項１、請求項２または請求項３に記載の骨の吸入採取器。
【請求項５】
前記の吸引ヘッド部に切削バーが挿通された状態で、切削バー駆動ヘッド部が吸引ヘッド部側に弾力で引っ張られる構造となっていることを特徴とする請求項１から請求項４までのいずれかの項に記載の骨の吸入採取器。
【発明の詳細な説明】
【０００１】
【産業上の利用分野】
本発明は、歯科治療のために口腔内部の骨を切削して吸入採取する器具に関する。虫歯や歯槽膿漏などで天然歯を抜歯し消失した場合に、代わりにインプラントを埋入することがある。この場合でも、顎骨がやせ衰えていると、インプラントを充分強固に固定できない。そのような場合は、患者自身の口腔内の特に支障の無い部位の顎骨を切削して採取し、それをインプラント固定部近傍に埋め込んで顎骨を再生補強することが行われる。また、インプラントの固定その他の目的で、顎骨などに孔を開ける場合がある。この場合も、顎骨を切削除去することになる。
【０００２】
【従来の技術】
例えば特開２００１−２０４７３５号公報などに記載のように、口腔外科における骨形成術や骨切除術のための外科装置が提案されているが、この装置は、超音波震動によって骨に処置を施す構造になっている。そのため、歯石を除去するスケーラーなどとしては有効であっても、採取できる骨の量が少ないので、効率的に骨を採取する器具としては適しない。
【０００３】これに対し、近年、虫歯などの患部を切削する切削バー駆動器と真空吸引装置を併用し、切削バーを高速回転させて顎骨を切削しながら、真空吸引装置で吸引する装置が提案されている。
【０００４】
【発明が解決しようとする課題】
この装置は、切削した粉粒状の骨片を集める採集部の中を切削バーが貫通する構造になっているため、構造が複雑である。その結果、骨の採集部が大型となり、口腔内の奥の部位まで挿入して顎骨を切削することが困難である。従って、下顎前歯付近（おとがい）の顎骨しか切削採取できないという致命的な欠点が避けられない。
【０００５】より奥の部分を切削可能とするには、切削バーを長くし、しかも切削バーが貫通した状態で内部で高速回転できる筒体を切削部まで延長させることになるが、そうすると、特殊の切削バーが必要となり、高価な装置となる。特に、切削バーや延長筒が長いために、取り扱い操作も不便で、口腔内の任意の部位を任意の角度から切削するということが不可能となり、切削部位が制限されてしまう。
【０００６】本発明の技術的課題は、このような問題に着目し、口腔内への挿入に適するような構造簡素で小型の装置を実現するとともに、通常のサイズの切削バーを用いて口腔内の任意の部位の顎骨を任意の角度から切削でき、取り扱い操作も簡便な骨の切削吸入採取器を実現することにある。
【０００７】
【課題を解決するための手段】
本発明の技術的課題は次のような手段によって解決される。請求項１は、切削バーを挿通する吸引ヘッド部の切削バー先端側の吸入口を採骨面に対向させる構造において、吸引ヘッド部の内空と連通する位置にフィルター内蔵部を設けた構造となっている骨の吸入採取器である。
【０００８】このように、切削バーを挿通する吸引ヘッド部の吸入口を採骨面に対向させる構造において、吸引ヘッド部の内空と連通する位置にフィルター内蔵部を設けた構造になっているので、フィルター内蔵部は、切削バーから離れた位置に配置されている。そのため、口腔内に挿入して骨を切削し採取する部分は構造が簡素化されるので、小型化して、口腔内の奥深くまで挿入でき、任意の位置の骨を切削採取できる。また、切削バーを長くして奥まで延長する必要も無いので、取り扱い操作が簡便になるだけでなく、任意の角度から採骨面に接近し切削できる。
【０００９】フィルター内蔵部は、切削バーから離れた位置に有るので、口腔の外に配置でき、しかも切削バーが貫通しないので、フィルター部の容量を大きくでき、必要に応じて更に大型化することもできる。従って、一度に大量の採骨が可能となる。
【００１０】請求項２は、請求項１に記載のフィルター内蔵部は開閉構造になっており、フィルターの内部に溜まった粒状の骨を外部に取り出し可能となっている骨の吸入採取器である。
【００１１】このように、フィルター内蔵部は開閉構造になっていて、フィルターの内部に溜まった粒状の骨を外部に取り出し可能となっているため、フィルター内蔵部を開けるだけで、フィルターの内部に溜めた粒状の骨を容易に外部に取り出すことができる。
【００１２】請求項３は、請求項１または請求項２に記載の吸引ヘッド部の切削バー先端側の吸入口に、少なくとも先端部が柔軟な筒体を装着可能となっている骨の吸入採取器である。
【００１３】口腔内の採骨面は平坦ではなく複雑な凹凸形状をしている。また、採骨面に対する切削バー先端の角度によっても、近傍の形状は様々である。ところが、請求項３のように、吸引ヘッド部の吸入口に、少なくとも先端部が柔軟な筒体を装着できるので、筒体の先端が採骨面に応じて柔軟に変形して採骨面に密着する。そのため、唾液などの吸引量は少なく、採骨面で切削された粒状の骨のみを効果的にフィルター部に吸引できる。もちろん、柔軟筒体を装着しないで採骨しても差し支えない。
【００１４】請求項４は、請求項１、請求項２または請求項３に記載のフィルターは、テーパ筒状をしていて、その大径開口部は前記の吸引ヘッド部側に位置し、小径開口部は吸引管の接続部側に位置し、しかも小径開口は、採骨時には閉鎖される構造となっている骨の吸入採取器である。
【００１５】このように、フィルターは、テーパ筒状をしていて、その大径開口部は前記の吸引ヘッド部側に位置し、小径開口部は吸引管の接続部側に位置しているため、切削バー先端で採取された粒状骨は、大径開口部からフィルター内に吸引されて溜まる。このとき、フィルターが筒状をしているので、フィルター内が満杯にならない限り、採取された粒状骨でフィルターの目が塞がることはなく、より多く、より長時間にわたって採骨できる。
【００１６】また、テーパ状フィルターの小径開口は、採骨時には閉鎖され、採骨時以外は解放できるので、フィルター内に溜まった粒状骨は、この小径開口から取り出すこともできる。もちろん、大径開口から取り出してもよい。
【００１７】請求項５は、請求項１から請求項４までのいずれかの項に記載の吸引ヘッド部に切削バーが挿通された状態で、切削バー駆動ヘッド部が吸引ヘッド部側に弾力で引っ張られる構造となっている骨の吸入採取器である。
【００１８】このように、吸引ヘッド部に切削バーが挿通された状態で、切削バー駆動ヘッド部が吸引ヘッド部側に弾力で引っ張られる構造になっているため、採骨時には、吸引ヘッド部の吸入口あるいは柔軟筒体の先端開口を採骨面に位置合わせして軽く押し当てるだけで、採骨バー先端のビット部が弾力で採骨部に圧接して切削する。従って、切削バーを独立して操作する必要がなく、操作性が良いため、熟練が不要となる。
【００１９】
【発明の実施の形態】
次に、本発明による骨の切削吸入採取器が実際上どのように具体化されるか実施形態を説明する。図１は本発明によるる骨の切削吸入採取器の全容を示す側面図である。１は中空の吸引ヘッドであり、延長筒２を介して取っ手部３と接続している。吸引ヘッド１は、図２の内空１ｉを有する筒状をしており、その採骨面側の吸入口４とヘッド背壁５のバー孔１ｈを貫通するように切削バー６が挿通されている。
【００２０】切削バー６は、虫歯の患部などを切削除去したりする場合に使用されるスチールバーを骨切削用に改良したバーであり、駆動ヘッド７中に保持されている。この駆動ヘッド７は、延長部８を介して取っ手部９と連結されており、取っ手部９を保持して、切削バー６の先端のビット１１を患部に当てた状態で、切削バー６を高速回転させることで、患部を切削除去したり、歯石除去などを行なう。取っ手部９は、延長ホース１０を介して、歯科治装置本体に接続されている。
【００２１】採骨に際しては、取っ手部３を保持して、吸引ヘッド１を口腔内に挿入し、吸入口４を採骨面に当てた状態で、切削バー６を回転駆動すると、切削バー６の先端のビット１１で骨を切削する。切削された粒状の骨は、吸入口４中に負圧で吸入され、次いで、吸引ヘッド内空１ｉ→延長筒内２ｉ→取っ手部３中のフィルター内、の順に流れて、フィルター中に溜まる。取っ手部３の背部のジョイント３ｊには排気ホース１２が接続される。
【００２２】図２は骨の吸入採取器の断面図、図３は図２の骨の吸入採取器を分解した状態の側面図である。取っ手部３の内部にはフィルター１３が内蔵されているが、このフィルター１３は、網製のテーパ状の筒状をしている。そして、その大径端側１３ａも小径端側１３ｂも開口している。
【００２３】フィルター１３を内蔵する取っ手部３は、吸引ヘッド１寄りの前側筒状部３１と吸引ホース１２寄りの後側筒状部３２とからなっている。前側筒状部３１は、フィルター内蔵部３１ｉと小径の筒孔１４を有し、フィルター１３の大径端１３ａが丁度入るサイズの内端部と小径筒孔１４との間の段差部１５に、フィルター１３の大径端１３ａが突き当たるようにして内蔵される。なお、前側筒状部３１の小径筒孔１４は、吸引ヘッド１の延長筒２とネジ部Ｓ１で分離できる構造になっているが、一体形状にしてもよい。
【００２４】取っ手部３の後側筒状部３２のフィルター内蔵部３２ｉは、中径孔１６を介して、ジョイント孔１７に連通している。十文字状の受け部材１８は、放射状部１９の中心部に栓部２０を有しており、フィルター１３の小径開口部に栓部２０を挿入して閉じた状態で、後側筒状部３２中に挿入してから、前側筒状部３１を被せてネジ部Ｓ２で結合すると、フィルター１３が取っ手部３中に内蔵された状態となる。後側筒状部３２の内部は、受け部材１８の放射状部１９の間の空間を介して、中径孔１６と連通している。
【００２５】このように、取っ手部３中にフィルター１３が内蔵されているため、切削バー６で採骨面を切削している状態で、吸引ホース１２側から真空吸引すると、吸引ヘッド１の吸入口４から吸入された空気は、吸引ヘッド１中１ｉ→延長筒２中２ｉ→小径筒孔１４→フィルター１３の内部→フィルター１３の外側→中径孔１６→ジョイント孔１７→排気ホース１２の順に流れるため、採骨された粒状の骨は、この空気流に乗って流れるが、フィルター１３を通過することはできず、フィルター１３内に溜まる。
【００２６】こうして、フィルター１３中に採骨粒が溜まると、切削を一旦中止してから、前側筒状部３１と後側筒状部３２をネジ部Ｓ２で分離して開け、内部のフィルター１３と十文字状の受け部材１８を取り出す。そして、フィルター１３の小径開口から十文字状受け部材１８の栓部２０を抜き去ると、小径開口も開く。この状態で、フィルター１３中に溜まっている粒状骨を大径開口または小径開口から取り出して、インプラント固定部の骨の再生などに利用する。
【００２７】フィルター１３は、その大径端１３ａのみを利用して取っ手部３中に固定することもできる。図４はその一例であり、大径端１３ａをフランジ状に突出させ、後側筒状部３２の開口端の内径ｄを大径フランジ状部１３ａの外径より小さくしてある。そのため、このフィルター１３を後側筒状部３２中に開口から挿入してから、前側筒状部３１を被せて、ネジ部Ｓ３で連結すると、フィルター１３を内蔵した状態で固定できる。
【００２８】フィルター１３の小径開口は、栓２０ａを挿入して閉じておけばよい。この栓２０ａは、真空吸引力で外れないようにロック手段を設けておくのがよい。なお、内部に溜まった粒状骨を取り出す際に小径開口を開ける必要が無い場合は、完全に閉じておいてもよいし、開口部も網にしておいてもよい。なお、フィルター１３の大径開口を下にして液体中に入れ、多少の衝撃を加えるだけで、内部の粒状骨は大径開口側に沈降するので、容易に取り出せる。
【００２９】採骨に際しては、吸引ヘッドの吸入口４を直接、採骨面に当てることもできるが、採骨面と接する部分は、多少柔軟性がある方がよい。従って、図１〜図３のように、多少柔軟性のある筒体２３を吸入口４に連結しておくのがよい。この筒体２３自体を柔軟性筒で構成してもよいし、剛体で形成し、採骨面に当たる先端部のみに柔軟性のある樹脂などをコーティングしたり、柔軟性筒を連結した構成でもよい。また、吸入口４の先端部に、シリコーン樹脂などのように柔軟性のある材料をコーティングしておいてもよい。
【００３０】こうして、採骨面と接する部分に柔軟性を持たせておけば、採骨面の凹凸に追従して柔軟に変形して、吸入口４の外側と確実に遮断できるので、真空吸引する際に、唾液などを吸入することはなく、切削した粒状骨だけを吸入してフィルター１３に溜めることができる。なお、吸引ヘッド１の吸入口４の突出量Ｌ１や柔軟性筒２４の長さＬ２は自由に選定できる。
【００３１】図１の構造では、粒状骨の吸入採取器と切削バー６とは完全に独立しているため、片方の手で吸入採取器側を持って操作し、他方の手で切削バー６の取っ手部９を持って操作する必要がある。従って、両手を独立して操作する必要があり、採骨操作に熟練を要する。すなわち、片方の手で吸入口４を採骨面に適度に押し当てた状態で、他方の手で切削バー６の先端ビット１１を採骨部に適度の圧力で押し当てて切削する必要がある。
【００３２】これに対し、図５のように、吸引ヘッド１と切削バー６の駆動ヘッド７とにわたって、例えばゴムバンド２４などを掛けておくと、両ヘッド１と７との間が互いに接近する方向に引っ張り合うことになる。従って、採骨に際しては、吸入採取器側のみを手に持って、吸入口４又は柔軟筒体２３の先端を採骨面に軽く押し当てれば、切削バー６の先端ビット１１は採骨部にゴムバンド２４の弾力で押し着けられる。また、採骨時に隆起部分などに先端ビット１１のみが当たった場合は、ゴムバンド２４の弾力に抗して、先端ビット１１すなわち切削バー６全体が後退するので、支障は無い。
【００３３】従って、ゴムバンド２４の弾力さえ適度に設定しておけば、切削バー６の採骨面側への進出後退は、ゴムバンド２４の弾力で行われるため、切削バー６側を他方の手で独立に操作する必要がない。また、先端ビット１１を採骨部に押し着ける力のコンロールも必要ない。結局、熟練を要しないので、機器の操作に馴れる負担が軽減される。
【００３４】ゴムバンド２４は一例であって、他の弾性手段を用いてもよい。また、吸入採取器の取っ手部３に対する切削バー６の取っ手部９の向きは、図１のように、左右の手で独立に操作する場合は、それぞれ逆向きにした方が取り扱い操作が簡便であるが、ゴムバンド２４などの弾力で切削バー駆動ヘッド７側を吸引ヘッド１に追従させる場合は、吸入採取器の取っ手部３の付近まで近づけるのも良い。
【００３５】図５のように、吸入採取器の取っ手部３の上側に切削バーの取っ手部９が重なるように配置すると共に、取っ手部３に設けたガイドＧの内部で取っ手部９側が上下動のみ可能な構造にすれば、取っ手部３のみ、又はガイド手段Ｇのみを片手に持って操作することもできる。
【００３６】このとき、切削ビット１１の切削力が弱い場合は、切削バーの駆動ヘッド７の上を矢印Ｐ方向に人指し指の先で押すと、ビット１１が採骨部に接する圧力を強くできる。なお、駆動ヘッド７と吸引ヘッド１との間に、切削バー６を囲むように弾性の筒体を介在させて、ゴムバンド２４とは逆に、吸引ヘッド１に対し駆動ヘッド７を押し離す構造にすれば、指先で矢印Ｐ方向に押す力のみでビット１１を採骨部に押しつけることもできる。
【００３７】
【発明の効果】
請求項１のように、切削バーを挿通する吸引ヘッド部の吸入口を採骨面に対向させる構造において、吸引ヘッド部の内空と連通する位置にフィルター内蔵部を設けた構造になっているので、フィルター内蔵部は、切削バーから離れた位置に配置されている。そのため、口腔内に挿入して骨を切削し採取する部分は構造が簡素化されるので、小型化して口腔内の奥深くまで挿入でき、任意の位置の骨を切削採取できる。また、切削バーを長くして奥まで延長する必要も無いので、取り扱い操作が簡便になるだけでなく、任意の角度から採骨面に接近し切削できる。
【００３８】フィルター内蔵部は、切削バーから離れた位置に有るので、口腔の外に配置でき、しかも切削バーが貫通しないので、フィルター部の容量を大きくでき、必要に応じて更に大型化することもできる。従って、一度に大量の採骨が可能となる。
【００３９】請求項２のように、フィルター内蔵部は開閉構造になっていて、フィルターの内部に溜まった粒状の骨を外部に取り出し可能となっているため、フィルター内蔵部を開けるだけで、フィルターの内部に溜めた粒状の骨を容易に外部に取り出すことができる。
【００４０】請求項３のように、吸引ヘッド部の吸入口に、少なくとも先端部が柔軟な筒体を装着できるので、筒体の先端が採骨面に応じて柔軟に変形して採骨面に密着する。そのため、唾液などの吸引量は少なく、採骨面で切削された粒状の骨のみを効果的にフィルター部に吸引できる。
【００４１】請求項４のように、フィルターはテーパ筒状をしていて、その大径開口部は前記の吸引ヘッド部側に位置し、小径開口部は吸引管の接続部側に位置しているため、切削バー先端で採取された粒状骨は、大径開口部からフィルター内に吸引されて溜まる。このとき、フィルターが筒状をしているので、フィルター内が満杯にならない限り、採取された粒状骨でフィルターの目が塞がることはなく、より多く、より長時間にわたって採骨できる。
【００４２】また、テーパ状フィルターの小径開口は、採骨時には閉鎖され、採骨時以外は解放できるので、フィルター内に溜まった粒状骨は、この小径開口から取り出すこともできる。もちろん、大径開口から取り出してもよい。
【００４３】請求項５のように、吸引ヘッド部に切削バーが挿通された状態で、切削バー駆動ヘッド部が吸引ヘッド部側に弾力で引っ張られる構造になっているため、採骨時には、吸引ヘッド部の吸入口あるいは柔軟筒体の先端開口を採骨面に位置合わせして軽く押し当てるだけで、採骨バー先端のビット部が弾力で採骨部に圧接して切削する。従って、切削バーを独立して操作する必要がなく、操作性が良いため、熟練が不要となる。
【図面の簡単な説明】
【図１】本発明によるる骨の切削吸入採取器の全容を示す側面図である。
【図２】切削した粒状骨の吸入採取器の断面図である。
【図３】図２の粒状骨の吸入採取器を分解した状態の側面図であり、（ｃ）は十文字状受け部材の正面図である。
【図４】フィルターを大径開口部のみを利用して取っ手部中に固定する実施形態の断面図である。
【図５】（１）は切削バー駆動ヘッドが吸引ヘッド側に弾性追従する実施形態の側面図であり、（２）はＡ−Ａ位置の断面図である。
【符号の説明】
１  吸引ヘッド
２  延長筒
３  取っ手部
４  吸入口
６  切削バー
７  駆動ヘッド
１１  ビット
１２  排気ホース
１３  フィルター
３１  前側筒状部
３１ｉ  前側筒状部内部
３２  後側筒状部
３２ｉ  後側筒状部内部
１４  小径筒孔
１５  段差部
１６  中径孔
１７  吸引孔
１８  十文字状の受け部材
１９  放射状部
２０  栓部
２０ａ  栓
Ｓ１・３２・Ｓ３  ネジ部
２３  柔軟筒体
２４  ゴムバンド
Ｇ  切削バー側取っ手部の上下動ガイド
【図１】
2004329312.tif 000003
【図２】
2004329312.tif 000004
【図３】
2004329312.tif 000005
【図４】
2004329312.tif 000006
【図５】
2004329312.tif 000007